(57)【要約】先端または前端（３）からテールまたは後端（４）まで長手方向に延在するサーフボードなどのライディングボードが提供される。ボードインタフェースプレート（６）は、ライディングボードのテール部またはテールブロック（８）をボードの後端に接続する連結手段となるように構成される。テールブロックはライディングボードに脱着可能に連結され、ほぼいかなる所望のテール構造、サイズ、形状にも構成することができる。
2016515496.tif 000002
【特許請求の範囲】
【請求項１】
構成変更可能なライディングボードであって、
前端から後端に長手方向に延在し、ライディング面と底面とによってさらに画定されるライディングボード本体と、
前記ライディングボード本体の前記後端に連結され、前記ライディングボード本体の前記後端から離れた側に外面を有するボードインタフェースプレートであって、前記ボードインタフェースプレートの前記外面から内方に延在する相互に間隔をおいて配置された複数の空隙をさらに備えるインタフェースプレートと、
前記ボードインタフェースプレートに脱着可能に連結する前面を有するテールブロックであって、前記前面が前記ボードインタフェースプレート空隙と係合する複数のタブを有する、テールブロックと、
を備えるライディングボード。
【請求項２】
前記ボードインタフェースプレートの前記外面が略平坦であり、前記ライディングボードの前後軸に対して略垂直である、請求項１のライディングボード。
【請求項３】
前記ボードインタフェースプレートの前記外面が、ライディングボード本体の前記後端に係合するように外方に突出する受けブロックをさらに備える、請求項１のライディングボード。
【請求項４】
前記ライディングボードの前記後端が、前記ボードインタフェースプレートを収容する切欠きをさらに備える、請求項３のライディングボード。
【請求項５】
前記空隙が前記ライディングボード本体内へ延在し、前記ボードインタフェースプレート受けブロック内に格納される、請求項３のライディングボード。
【請求項６】
前記脱着式テールブロックの前面が、前記テールブロックを前記ボードインタフェースプレートに連結するテールブロックインタフェースプレートを備える、請求項１のライディングボード。
【請求項７】
前記ボードインタフェースプレートに脱着可能に連結されるテールプレートをさらに備え、前記テールプレートが前記ボードインタフェースプレートの前記空隙を覆う、請求項１のライディングボード。
【請求項８】
前記テールブロックを脱着可能に固定する少なくとも１つの留め具をさらに備える、請求項１のライディングボード。
【請求項９】
前記テールブロックが、前記ボードインタフェースプレートと連結されるときに前記ライディングボード本体の前記ライディング面および底面と面一である外面をさらに備える、請求項１のライディングボード。
【請求項１０】
前記ボードインタフェースプレートが、前記ライディングボード本体と連結されるときに前記ライディングボード本体の前記ライディング面および底面と面一である外周面をさらに備える、請求項１のライディングボード。
【請求項１１】
構成変更可能なライディングボードであって、
前後軸に沿って前面から後端まで延在する本体を有し、前記ライディングボードのテールとなるように成形されるテールブロックを備え、
前記前面が相互に間隔をおいて配置された複数の連結部材を備え、該連結部材が前記前面から外方に突出し、ライディングボード本体の後端に相互に間隔をおいて配置された複数の空隙に脱着可能に係合するように構成されたライディングボード。
【請求項１２】
前記テールブロックの前面が前記前後軸に対して略垂直であり、前記ライディングボード本体の前記後端と接して面一になるように構成される、請求項１１のライディングボード。
【請求項１３】
前記ライディングボード連結部材が剛体である、請求項１１のライディングボード。
【請求項１４】
前記ライディングボード連結部材が可撓性を有し、前記ライディングボードに連結されるときにテールブロックの屈曲を許容するように前記ライディングボードに対して屈曲するように構成される、請求項１１のライディングボード。
【請求項１５】
前記テールブロックを前記ライディングボード本体に脱着可能に連結する少なくとも１つの留め具をさらに備える、請求項１１のライディングボード。
【請求項１６】
構成変更可能なライディングボードであって、
前後軸に沿って前端から後端に延在するライディングボード本体と、
前記ライディングボードの前記後端に接続され、前記後端から離れた側に略平坦な後面を有し、相互に間隔をおいて配置された複数の収容手段を有するボードインタフェースプレートと、
前記ボードインタフェースプレートに脱着可能に連結する前面を有するテールブロックであって、前記前面が相互に間隔をおいて配置された複数の連結手段を有し、該連結手段が前記相互に間隔をおいて配置された複数の収容手段と係合するように構成されるテールブロックと、
を備えるライディングボード。
【請求項１７】
前記テールブロックを前記ボードインタフェースプレートに脱着可能に固定する少なくとも１つの留め具をさらに備える、請求項１６のライディングボード。
【請求項１８】
前記相互に間隔をおいて配置された複数の連結手段が、前記前面に略垂直に外方へ突出するタブを備える、請求項１６のライディングボード。
【請求項１９】
前記相互に間隔をおいて配置された複数の収容手段が、前記後面に略垂直に内方へ延在する空隙を備える、請求項１６のライディングボード。
【請求項２０】
前記テールブロックが、前記後端を保護するように構成された可撓圧縮性材料を備える、請求項１６のライディングボード。
【発明の詳細な説明】
【技術分野】
【０００１】
（関連出願の相互参照）
本願は、２０１３年４月２２日に提出された係属中の米国特許出願第６１／８１４，６８６号の「サーフボードおよびその他のライディングボード用互換性テールシステム」に優先権を主張し、引用によりその全文を本願に組み込む。
【０００２】
本発明は、概してサーフボード、パドルボード、スタンドアップパドルボード、スノーボード、ウェイクボードなどの個人用ライディングボードに関し、特に、様々な互換性後部またはテールブロックを着脱することによって独自の構造をとることができる個人用ライディングボードに関する。
【背景技術】
【０００３】
従来のライディングボードは、それぞれが独自の特徴の組み合わせを備えた様々な形状およびサイズを有する。こうしたライディングボードの主要構成要素はテール部であり、その形状と構造がボードのライディング特徴に大きな影響を及ぼす。テール部はライディングボードの長さと形状にも影響を及ぼす。その結果、大部分の個人用ライディングボード、特にサーフボードのテール部は、所望のライディング特徴をもたらすように調整された様々な形状をとることができる。たとえば、サーフボードの「スカッシュテール」はサーファーが鋭いターンができることで一般的に知られており、小中サイズの波で好まれることが多い一方、細長の「ピンテール」は大波または比較的強烈な波での方向転換に好まれる。従来のサーフボードには固定された後部またはテールが設けられるため、現状では、乗り手は異なるテールシステムまたはブロックによって提供される様々な特徴を利用するために様々なライディングボードを保有しなければならない。製造業者の嗜好や設計要件に応じて、テールは任意の形状、厚さ、ロッカーおよびサイズを有することができる。サーフボードの価格上昇に伴い、様々なボードを保有することはコスト面で無理である。
【０００４】
従来のライディングボードが抱えるもう１つの問題は、取扱、保管、輸送中のテール部の損傷である。倉庫に置いているとき、車、飛行機、二輪車で輸送しているとき、ライディング区域まで単に運んでいるときのいずれにかかわらず、ライディングボードのテール部が損傷することはよく知られている。このような輸送や保管のために、テール部を保護テールカバーと交換することは有効であろう。テール部を取り外してライディングボードを小型化することはさらに有効であろう。ライディングボードに脱着式保護移動テールブロックを装着できればなお一層有効であろう。したがって、様々なライディング条件に合わせて簡易に変更し、輸送中のライディングボードテールの損傷を最小化することのできるライディングボードが必要とされる。
【発明の概要】
【０００５】
請求される主題のいくつかの側面に関して基本的に理解してもらうために簡略的な概要を以下提示する。本概要は網羅的な大要ではなく、また、重要なおよび／または必須の構成要素を特定し、請求される主題の範囲を限定することを目的としていない。本概要は、後で提示する詳細な説明の前置きとして、簡易な形式でいくつかの概念を示すことを目的とする。
【０００６】
各種実施形態の１側面によると、第２のテール部あるいはさらに様々な互換性テール部またはテールブロックを追加する装備を備え、水面、雪面、またはさらに硬質な面で使用されるライディングボードが提供される。より具体的には、本開示は、任意の様々な脱着式の互換性テールブロックと共に使用可能なライディングボードに関する。また、本開示のライディングボードは好都合なことに、互換性テールブロックを装着せずに使用されるように構成される。本開示のライディングボードは、調節可能なフィンと共に使用すると特に有益であり、本開示は、本願に記載のテールブロックを用いて、あるいは用いずに使用されるとき、ボード長、ロッカー、ライディング特徴の起こり得る変化に合わせてボードのテールに対して調節可能であるフィンの使用を企図する。
【０００７】
本開示は、前端または先端から後端またはテールまで長手方向に延在するサーフボード本体を有する構成変更可能なサーフボードに関する。ボードインタフェースプレートはサーフボード本体の後端に接続することができる。ボードインタフェースプレートは、外側のサーフボードの後端から離れた側に面する外面を有する。ボードインタフェースプレートは、インタフェースプレートの外面からサーフボード本体内へ延在する、相互に間隔をおいて配置された複数の空隙も含む。サーフボードの後端と、装着されるボードインタフェースプレートとは、サーフボードテールのテール部となるように構成される。上述のサーフボードはこのまま乗られるように設計されているが、所望の構造の脱着式テールブロックをボードインタフェースプレートに任意で連結して、ライディングボードの長さとライディング特徴とを変更することができる。
【０００８】
インタフェースプレートの外面は、接合面が流れる水や空気に影響を及ぼさないようにサーフボードの前後軸に対して垂直である平坦面を含む。相互に間隔をおいて配置された複数のフィン連結素子が、前端または先端と後端またはテールとの間でサーフボードに固定される。サーフボード本体は、先端と後端との間に、単独のフィンまたは相互に間隔をおいて配置された複数のフィンをサーフボード本体の下面に連結する手段を含む。フィン手段は実際のフィンまたは単にフィンボックスを含むことができる。
【０００９】
本開示は、ライディングボードのボードインタフェースプレートに連結するように構成された、本明細書でテールブロックとも称する脱着式の互換性テールシステムをさらに含む。テールブロックは、ライディングボードの前後軸（長手方向軸）に沿ってテールブロックの後端まで延在する前側テールインタフェースプレートを有する。前側テールインタフェースプレートは、ライディングボードのボードインタフェースプレートと接して連結されるように構成される。より具体的には、テールブロックの前側インタフェースプレートは平坦な前面を備え、該前面はそこから外方に突出する相互に間隔をおいて配置された複数の連結部材を有する。平坦な前面インタフェースは、ライディングボードのボードインタフェースプレートの対応する平坦面に対して押圧されるように構成される。連結部材は、テールブロックをライディングボードに固定して脱着式テール拡張部を有するライディングボードを形成するように、ライディングボードのボードインタフェースプレートに相互に間隔をおいて配置された連結空隙内に嵌合するように構成される。
【００１０】
本開示の１実施形態では、テールブロックは、ライディングボードの後端またはテール用の保護テールカバーとなるように設計される。別の実施形態では、本開示のテールブロックは、特注で作製される、および／または消費者またはエンドユーザによって設計される。任意の様々な構造のテールブロックにより、ライディングボードはユーザおよび／または様々なライディング条件に合わせて特別に構成することができる。係合されると、テールカバープレートは空隙を封止して、水、雪、またはその他の汚染物質がライディングボード本体に侵入するのを防止する。空隙は、テールの渦巻き、乱流、またはその他の不所望な作用がライディングボードに影響を及ぼすのを阻止するサイズに制限することができる。脱着式留め具はテールブロックまたはテールカバープレートをサーフボードに固定することができる。
【００１１】
各種実施形態の１側面によると、構成変更可能なライディングボードが提供され、このライディングボードは、前端から後端に長手方向に延在し、ライディング面と底面とによってさらに画定されるライディングボード本体と、ライディングボード本体の後端に連結され、ライディングボード本体の後端から離れた側に外面を有するボードインタフェースプレートであって、ボードインタフェースプレートの外面から内方に延在する相互に間隔をおいて配置された複数の空隙をさらに備えるインタフェースプレートと、ボードインタフェースプレートに脱着可能に連結する前面を有し、該前面がボードインタフェースプレート空隙と係合する複数のタブを有するテールブロックと、を備える。
【００１２】
各種実施形態の１側面によると、構成変更可能なライディングボードであって、前後軸に沿って前面から後端まで延在する本体を有し、ライディングボードのテールとなるように成形されるテールブロックを備え、該前面が相互に間隔をおいて配置された複数の連結部材を備え、この連結部材が前面から外方に突出し、ライディングボード本体の後端の相互に間隔をおいて配置された複数の空隙に脱着可能に係合するように構成されたライディングボードが提供される。
【００１３】
各種実施形態の１側面によると、構成変更可能なライディングボードが提供され、このライディングボードは、ライディングボードの前後軸に沿って前端から後端に延在するライディングボード本体と、ライディングボードの後端に接続され、該後端から離れた側に略平坦な後面を有し、相互に間隔をおいて配置された複数の収容手段を有するボードインタフェースプレートと、このボードインタフェースプレートに脱着可能に連結する前面を有するテールブロックであって、該前面が相互に間隔をおいて配置された複数の連結手段を有し、この連結手段が相互に間隔をおいて配置された複数の収容手段と係合するように構成されるテールブロックと、を備える。
【図面の簡単な説明】
【００１４】
【図１Ａ】１実施形態のライディングボードの上面図である。
【００１５】
【図１Ｂ】１実施形態の互換性テールブロックの上面図である。
【００１６】
【図１Ｃ】互換性テールブロックに接合される１実施形態のライディングボードの底面図である。
【００１７】
【図２Ａ】１実施形態のライディングボードの展開図である。
【００１８】
【図２Ｂ】１実施形態のボードインタフェースプレートの後面図、前面図、上面図である。
【００１９】
【図３Ａ】１実施形態の互換性テールブロックの展開図である。
【００２０】
【図３Ｂ】１実施形態のテールインタフェースプレートの側面図および上面図である。
【００２１】
【図４】１実施形態のライディングボードの展開図である。
【００２２】
【図５Ａ】テールブロックに接合される１実施形態のライディングボードの上面図である。
【００２３】
【図５Ｂ】テールブロックに接合される１実施形態のライディングボードの底面図である。
【００２４】
【図６】様々な実施形態のテールブロックの上面図である。
【００２５】
【図７】別の実施形態のライディングボードの展開図である。
【発明を実施するための形態】
【００２６】
以下の各種実施形態の説明では、説明の一部を成し、例示として実行可能な特定の実施形態を示す添付図面を参照する。他の実施形態も利用可能であり、本開示の範囲から逸脱せずに構造上の変更を行うことができる。
【００２７】
本開示は、互換性テール部を連結することによって拡張するまたは他の形で構成することのできるサーフボードなどのライディングボードに関する。本開示の１実施形態では、ライディングボードは本開示のインタフェースおよび連結システムを含むことができ、テール拡張部なしで使用されるように構成することができる。別の実施形態では、テールブロックをライディングボードに連結して、ユーザの嗜好および／または環境条件に応じて様々なライディング特徴を備えるライディングボードを形成することができる。好都合なことに、本ライディングボードはサーフボード、パドルボード、スタンドアップパドルボード、スノーボード、スキムボード、または後端またはテール部を有するその他任意の種類のライディングボードの一部として使用することができる。
【００２８】
図１Ａは、１実施形態のライディングボード１の上面図である。ライディングボード１は、前端３（もしくはボードの「先端」または「ノーズ」とも称する）から後端４（もしくはボードの「テール」とも称する）まで延在するボード本体２の面を含む。ボード本体２は、発泡体およびプラスチックまたは樹脂製の外装、より硬い外装、木材、ガラス繊維、複合材、またはライディングボード製造において既知な任意の材料の吹き込み成形プラスチック本体で構成することができる。
【００２９】
ストリンガー５はボード本体２に沿って長手方向に延在することができる。ストリンガー５は、当該技術において既知な構造上または装飾上の目的で設けることができる。サーフボード、パドルボード、スタンドアップパドルボードの場合、当該技術において周知の製造技術を使用することができ、たとえば、成形または形成された発泡体心材が被覆材料（ガラス繊維、エポキシ樹脂、プラスチック、樹脂、繊維布など）で覆われる。
【００３０】
好都合なことに、カバープレート４２（図６を参照）をライディングボード１の後端４に配置することができる。カバープレート４２はライディングボード１のテール４として機能するように使用することもできる。カバープレート４２は安定性をもたらし、不所望の引きずりを防止して、輸送中に後端またはテールを保護する。しかも、カバープレート４２は、砂やその他の破片が相互に間隔をおいて配置された空隙７に侵入する、および／または該空隙を汚染するのを防止する。さらに、カバープレート４２はインタフェースプレート６を保護し、直立姿勢に設定または保管されたボード１を支持することで、地面にボード１を置いたときにテール４が割れる、あるいはその他の形で損傷するという周知の問題を改善すべく構成することができる。
【００３１】
該ボードは、図１Ｂまたは図６に示すような様々に異なるボード拡張部、テール部、テールプレート、またはテールブロックを収容し固定する手段をさらに含むことができる。この目的でボードインタフェースプレート６は使用することができる。固定手段は、ボードインタフェースプレート６の露出外面から内方に延びる図２Ａに示すような一又は相互に間隔をおいて配置された複数の空隙７（「収容手段」とも称する）を含むことができる。固定手段は、雄雌ソケット型、ネジ型などから成る他の接続部を含むことができる。ボードインタフェースプレート６はサーフボードなどの既存のライディングボードに追加して、本明細書に記載の利点を提供することができる。ボードインタフェースプレート６はライディングボード１の一部として製造することができる。
【００３２】
ボード１などの発泡体および樹脂製ライディングボードを用いる１実施形態では、ボードインタフェースプレート６を発泡体ボード本体２の後端４に接して配置し、図２Ａに示すようにガラス繊維および樹脂を用いて固定することができる。樹脂、グラッシング、艶出しなどの任意の外部仕上げの前に、係止ピンを伴い、あるいは伴わずに接着剤を使用してインタフェースプレート６をボード１の後端４に接合して固定することができる。もしくは、ボードインタフェースプレート６は、ネジ、ボルト、留め金、締め具などの機械的締結手段、接着剤、または樹脂の追加貼付などを通じてボード本体２の後端４に連結することができる。ボードインタフェースプレート６は、強度を高めるために接着剤、ネジ、またはその他任意の締結手段を用いてストリンガー５に固定することができる。
【００３３】
図１Ｂは、１実施形態の互換性テールブロック８を示す上面図である。テールブロック８は、前側または前部９から後テール端１０または単にテール１０まで長手方向に延在することができる。テールブロック８は、ライディングボード１のボードインタフェースプレート６（図１Ａ）と脱着可能に相互連結するように構成されるテール面プレート１１を組み込むことができる。よって、ボードインタフェースプレート６とテール面プレート１１は外方に面する接合面を有し、間隙のない接続部を形成するように平面状または平坦（図２Ａの１６および図３Ａの２５を参照）であり、かつライディングボード１の前後軸に略垂直にすることができる。ボードインタフェースプレート６とテール面プレート１１は同一の外周形状を有することで、接合面での引きずり、水の浸入、あるいはその両方を最小限に抑えることができる。また、テールブロック８は、サーフボードで一般的に使用されるものと類似のストリンガー５（図１Ａを参照）も含むことができる。
【００３４】
図１Ｃは、互換性テールブロック８に接合される１実施形態のライディングボード１の底面図である。この組み合わせは、異なるテールブロック（図６を参照）で異なるテール特徴を備えたライディングボード１を形成するか、あるいは浮力の増加、湿潤表面積の拡大、さらには保護後端カバープレート４２などのその他の利点をボード１に提供することができる。以下より詳細に説明するように、図１Ｂに示すような連結部材１２は、ボードインタフェースプレート６の少なくとも１つの空隙７に収容し、相互接続することができる。連結部材１２はボードインタフェースプレート６に固定することによって、使用中の外れを防止する。
【００３５】
ライディングボード１は、サーフボードに一般的に見られるような少なくとも１つのフィン固定手段２３を含むことができる。フィン固定手段２３はサーフボードまたはその他のライディングボード１の底面で、ボードインタフェースプレート６の前方に配置することができる。ボードインタフェースプレート６は、テールブロック８と共に使用されないときもライディングボード１の完全な機能を果たすことができる。フィン固定手段２３は、繊維ガラスで覆う、接着剤で接合する、ピン留めする、ネジ留めする、あるいはその他の固定手段を使用するなど、ボード１の製造工程の一環としてフィンを適所に固定することを含むことができる。フィン固定手段２３は、フィンを脱着可能に挿入させるか、あるいは異なる一又は複数のフィンと交換するなど、フィンをライディングボード１に固定するその他の方法および手段も含むことができる。
【００３６】
１実施形態では、フィン固定手段２３は、ライディングボードに沿ってフィンを様々に配置または移動させるように構成される。フィン固定手段２３は、ＦＣＳ、Ｆｕｔｕｒｅ  Ｆｉｎｓ、ＲｅｄＸ社製のフィンボックスおよびフィンプラグ、または当該技術において既知なフィンのライディングボードへのその他の固定手段を含むことができる。
【００３７】
１実施形態では、フィン固定手段２３は、少なくとも１つのフィンをテール４に対して再配置、摺動、またはその他の様式で移動させることができるように構成することができる。フィン固定手段２３は、使用される、あるいは使用されないテールブロック８の構造に応じて、一又は複数のフィンを複数の位置（２フィン、３フィン、４フィンなど）に配置できるように複数のフィン固定手段を含むことができる。たとえば、サーフボード１が図１Ａに示すようにテールブロック８なしで使用されるとき、あるいは乗り手がそのようなフィン位置を所望するとき、少なくとも１つのフィン（図示せず）を前方位置、たとえばノーズ３に向けて移動させることができる。もしくは、ボード１がテールブロック８を備えて構成されるとき、波が速くて大きいとき、あるいは乗り手がそのような構造を所望するとき、少なくとも１つのフィンを後方へテール４に向けて移動させることができる。
【００３８】
上述したように、ライディングボード１は、図１Ａに示すようなテールブロック８なしで使用することができる。もしくは、ライディングボードは、図１Ｃに示すようにテールブロック８と併せて使用することができる。テールブロック８なしで使用される際、ライディングボード１はボードインタフェースプレート６の設計と合致するテール４によって短めのライディングボードという特徴を備える。図１Ａにさらに示すように、ボードインタフェースプレート６はスカッシュテールまたはスクエアテールの特徴を提供するように設計される。しかしながら、後部４とボードインタフェースプレート６は、ライディングボード１がほぼどんな所望のテール４でも有するように構成することができる。
【００３９】
別の実施形態では、テールブロック８をライディングボード１に追加することで拡張し、より長いライディングボードの特徴を模すことができる。ライディングボード１は、テールブロック８の特徴も含むことができる。
【００４０】
ボードインタフェースプレート６は、ボード本体２の一部として製造される、あるいは任意のライディングボード１に固着されるように任意の形で成型することができるため、どのバージョンまたは設計の互換性テールブロック８とも容易に接合可能である。大型のライディングボードまたは大きな力を要するライディングボードの場合、ボードインタフェースプレート６はストリンガー５に固定することができる。ライディングボード１とインタフェースプレート６は、ボード本体２に固着する、テールブロック８の対向面プレート（図３Ａの２５）と接合し固定することができる限り、任意のテール形状構造をとるように構成することができる。
【００４１】
図２Ａおよび２Ｂは、本開示のライディングボード１とボードインタフェースプレート６の好適な１実施形態を、ボードインタフェースプレート６の複数の図と共に展開分解図で示す。
【００４２】
１実施形態では、ボードインタフェースプレート６は、外方に面する平面１６を備えた略平坦なテール面プレート１３を有することができ、該プレートは対向するテールブロック８（図３Ａを参照）の平坦面２５と接する接合面としての役割を果たす。もしくは、接合面は、本願に記載の目的を満たすように嵌合し合う任意の対向形状を含むことができる。
【００４３】
１実施形態では、ライディングボード１のボード本体２は、ボードインタフェースプレート６を組み込む、あるいはボードインタフェースプレート６と連結することができる、後部テール部４で成形される。図２Ａに示すように、サーフボード１のボード本体２は、相互に間隔をおいて配置された複数の切欠き１４を有するように製造中に成形することができる。切欠き１４またはその他の連結手段は、ボード本体２の基盤を成す発泡体ブランク材またはその他の成形可能材料にヤスリがけする、成形する、ルートを定める、あるいはその他の方法で形成することができる。切欠き１４は、ボードインタフェースプレート６から内方に突出する受けブロック１５と接合するように構成される。
【００４４】
１実施形態では、切欠き１４と受けブロック１５は、製造を簡易化しインタフェースプレート６の適切な配置を助けると共に、インタフェースプレートをボード本体２に固定する際の側方移動を防止するために円形の接合面を有する。同様に、ボード本体２の残りの外面１７は略平坦または平面状とし、インタフェースプレート６の接合する内面１３に合致するように構成することができる。もしくは、切欠き１４と受けブロック１５は正方形の外面（図４を参照）を有することができる。切欠き１４は、接合する受けブロックまたはその他任意の互換性接合面を収容するように蟻継ぎにすることができる。同様に、接合し合うボード面１７とインタフェースプレート面１３は、部品の位置合わせと強度向上のために接合ピン／穴、接合溝、またはその他の位置決め機能を有することができる。受けブロック１５は、インタフェースプレート６がボード１の一部となるべく設置および製造されるように設計することができる。
【００４５】
１実施形態では、ボード本体２は、相互に間隔をおいて配置された切欠き１４を有するように成形することができる。次いで、インタフェースプレート６の受けブロック１５はボード本体２の切欠き１４に嵌合させ、インタフェースプレートの残りの内面１３またはその大半はライディングボード本体２の後端２２の残りの外面１７に接合させることができる。接着剤を貼付した後、ボード本体２にガラス繊維、樹脂、エポキシ樹脂、ウレタン、ポリマー、複合樹脂、または当該技術において既知なその他の塗装を施すことができる。切欠き１４と受けブロック１５は円形、正方形、矩形、三角形で示しているが、接合されたときにボードインタフェースプレート６がボード本体２に接して保持され、後方への移動を阻止するように、接合する三角形の楔や台形の蟻継ぎなどの任意の形状で形成することができる。同様に、任意の所望の接合形状を使用して、所望に応じて横方向、縦方向、またはその他任意の力をさらに抑止することができる。
【００４６】
図２Ａおよび２Ｂに示すように、受けブロック１５はそれぞれ好都合なことに製造面またはタブ１８を含むことができる。各タブ１８は、ライディングボード本体２の上面（「ライディング面」とも称する）と底面からそれぞれ上方および下方に延在することができる。各製造タブ１８は、タブ１８、受けブロック１５を通ってテールブロックタブ収容空隙７内へ延在するネジ穴、ピン穴、またはその他の類似の開口などの留め具収容手段１９を含む。
【００４７】
１実施形態では、留め具収容手段１９は、ボード本体２の前後軸から約３０〜７０度の角度、好ましくは約５０度の角度で各収容空隙７内に延在することができる。各留め具穴１９は、ボルト、ネジ、ボールピン、係止ピンなどの留め具手段２１を収容するように構成することができる。１実施形態では、留め具収容手段１９は雌ネジとし、対応する留め具手段２１は六角形ヘッド、フィリップスヘッド、すり割りヘッド付きの雄ネジとすることができる。各留め具手段２１は、留め具穴１９またはボード本体２の外側から突出することなく対応する空隙７を貫通する程度の長さにすることができる。標準的なサーフボードでは、ネジの好適な長さは約８分の３インチとすることができる。少なくとも１つの留め具手段２１を使用して連結テールタブ１２を各空隙７内に固定することによって、テールブロック８をボードインタフェースプレート６、ひいてはライディングボード１に固定することができる。
【００４８】
好都合なことに、製造タブ１８は、ボード製造工程中に留め具収容手段１９がガラス繊維、プラスチック樹脂、またはその他の塗布で覆われるのを防ぎつつ、ライディングボード１の効率的な製造を可能にする。タブ１８は塗布工程またはその後の工程で図４および５に示すように水平にヤスリで研ぐ、あるいはその他の方法で除去することができるため、インタフェースプレート６、特に受けブロック１５の上面と下面はボード１の底面および上面のいずれからも突出しない。よって、タブ１８は製造工程中の留め具収容手段１９の損傷または閉塞を防止することができる。
【００４９】
再度図１Ａを参照すると、ライディングボード１は、テールブロック８、拡張部（図示せず）、あるいはボードインタフェースカバープレート４２を設けなくても乗ることができる。テールブロック８なしのライディングボード１は、短いために輸送にとってより有利であるか、あるいは、図６に示すように詰め物を入れたかその他の方法で保護されたテール端４０またはインタフェースカバープレート４２を装着することができる。保護テール端４０とインタフェースカバープレート４２はエラストマー、プラスチック、またはその他の軟性可撓材料から成り、衝撃を吸収するだけでなく、直立保管中のライディングボードの移動を防ぐことができる。さらに、ボードインタフェースプレート６は、従来のガラス繊維またはエポキシ樹脂製のボードのテールで生じるような破砕、凹み、亀裂が起こらず壊れにくい後端４を有する。本開示の別の特有の利点は、本ライディングボード１が図６に示すような様々な互換性テールブロック８と共に使用できることである。
【００５０】
図４を参照すると、テールブロック８は、テールブロック本体２４の接合面３０に固定するように構成することのできるテール面プレート１１を含む。テール面プレート１１は、強靱で剛体であるが、容易に破砕や破断を起こさない強化プラスチックなどのプラスチックで製造することができる。しかも、プラスチックは、長期間使用できるように紫外線および屋外での露出に耐性を有する。
【００５１】
テール面プレート１１は、少なくとも１つの連結テールタブ１２を含むことができる。各連結テールタブ１２はテール面プレート１１の平面状の外面２５から外方に延在し、ボードインタフェースプレート６の空隙７と係合するように構成することができる。各連結テールタブ１２は、ボードインタフェースプレート６の同様の形状の空隙７と接合し、堅く嵌合するサイズに設定することができる。しかも、各連結テールタブ１２は、留め具収容手段１９に挿入される留め具手段２１の少なくとも一部と接触する、および／または該一部を収容する凹み２６、細穴、窪み、穴、凹部、またはその他の手段を有することができる。もしくは、留め具手段２１は単に連結テールタブ１２に衝突させて、止めネジと等価の機能を果たし、テールタブを各空隙７内に固定することができる。
【００５２】
テール面プレート１１は、テールブロック８の本体を支持する手段をさらに含むことができる。テール支持タブ部材２７または相互に間隔をおいて配置されたテール支持タブ部材２７は好都合なことに、ライディングボード１に対してテールブロック８を構造的に支持しつつ、テールブロック本体２４をテール面プレート１１の内面２９に固定するのを助けることができる。テールブロック８は、乗り手によって踏みつけられるなど、乗られている間に様々な力を受けることがある。そのため、テール支持タブ２７は数、サイズ、材料、強度、またはそれらの任意の組み合わせを変動させて、特定のボード用途のニーズおよび所望の強度またはその他の特徴を満たすことができる。連結テールタブ１２とテール支持タブ２７は強靱なまたは強化されたプラスチックまたはガラス繊維やケブラーなどの複合材から製造することができる。もしくは、インタフェースプレート６とテール面プレート１１またはその一部は、アルミニウム、ステンレス鋼、チタン、あるいは類似の製造において既知なその他の金属またはプラスチックなどの任意の頑強で略剛体の材料から製造することができる。テール面プレート１１と、特に連結テールタブ１２およびテール本体固定タブ２７とは、ライディングボード１の本体２に対するテールブロック８の様々な屈曲特徴を提供するように、様々な材料、剛体または半剛体、または様々なサイズで製造することができる。１実施形態では、ボード１とテールブロック８との間の接続部は、屈曲が最小限である剛体とすることができる。１実施形態では、ボード１とテールブロック８との間の接続部は可撓性を有することができる。
【００５３】
ライディングボード１の製造と同様に、テールブロック８の成形されたテール本体２４は、製造工程の一環としてテール面プレート１１に固定することができる。テール本体２４の形状は、サーフボードの成形方法と同様にして発泡体から形成または成形することができる。もしくは、テール本体２４は当該技術において既知なその他の任意の材料から成形する、あるいは所望のテール構造に押出成形または成型することができる。成形または成型工程の前または一部として、あるいはテールブロック８の本体の形成後、内側テール空隙２８または相互に間隔をおいて配置された複数の内側テール空隙が内部に生成され、支持タブ２７を収容するように構成される。その後、使用される材料と製造方法に応じて、テール本体２４に、サーフボードの製造と同様にガラス繊維樹脂、エポキシ樹脂、またはその他任意の塗料を塗布することができる。
【００５４】
図４にさらに示す実施形態では、テール空隙２８は正方形または矩形の開口を有し、テール面プレート１１の類似形状の支持タブ２７と合致し接合するように構成される。ライディングボード１の本体２に対するインタフェースプレート６の構造と同様、合致する接合形状はテールブロック８の本体に対するテール面プレート１１の適切な配置を助けると共に、インタフェースプレートをボード本体２に固定しつつ横方向または屈曲運動を抑止する。矩形の形状を示しているが、任意の合致および接合形状を使用することができる。
【００５５】
いったんテール面プレート１１がテールブロック８の本体２４に接合され、支持タブ２７がテール本体の空隙２８に完全に挿入されたら、２つの要素は連結され、その２つの連結片をガラス繊維、エポキシ樹脂、または当該技術において既知である複合樹脂などのプラスチックで塗布することによってテールブロック本体を完成させることができる。もしくは、またはさらに、テール面プレート１１と支持タブ２７は、接合面２９および３０に塗布される接着剤を用いてテールブロック８の本体に固定することができる。もしくは、接着剤または樹脂と併せて、留め具が、空隙２８を通って支持タブ２７内へ通すのに使用されるか、またはテール面プレート１１を通ってテールブロック本体２４内へ通すのに使用され、あるいはこれらの部材を固定する当該技術において既知なように使用される。もしくは、テールブロック本体２４をたとえば任意の膨張した発泡体で形成し、成形工程の一環でテール面プレート１１を組み込むことができる。連結テールタブ１２と支持タブ２７は軽量で頑丈な材料の単独片として作製され、製造の際に使用される拡張アンカー型留め具と同様にテール面プレート１１とテールブロック本体２４に挿入されるように構成すべきである。
【００５６】
図４は、１実施形態のテールブロック８と対向するライディングボード１およびボードインタフェースプレート６の別の実施形態を示す展開図である。ボードインタフェースプレート６の外側接合面１６は、テール面プレート１１の接合面２５と対向して示される。
【００５７】
図５Ａおよび５Ｂは、テールブロック８と連結される本開示の１実施形態のライディングボード１を示す。ライディングボード１は製造タブがない、あるいは製造タブがヤスリで除去された後の受けブロック１５を示す。また、留め具手段２１は留め具収容手段１９に埋め込まれているため、ボード１の本体２の外面から突出しない。図示されるボードインタフェースプレート６とテール面プレート１１は共通の外周面を有し、ボード本体２とテールブロック８との間の滑らかな連続面を提供する。
【００５８】
図６はテールブロック８（「テールプレート」とも称する）の各種実施形態を示し、該ブロックはそれぞれ本願に記載するようなテール面プレート１１と連結テールタブ１２とを含む。図示されるテールブロックの形状は卵状３１、コウモリ状３２、左非対称３３、右非対称３４、ツバメ状３５、スクエア３６、ダイアモンド３７、スカッシュ３８、ピンテール３９などで、これらは本開示で利用できる形状のごく一部である。さらに、各形状は任意の長さに拡張して、ライディングボード１全体または拡張テールの長さを延長させることができる。
【００５９】
１実施形態では、テールブロック４０は好都合なことに、移動用テールとして構成することができる。本実施形態では、テールブロック４０はライディングボード１の後部４および／またはテールを保護するように詰め物材から成ることができる。たとえば、テールブロック４０は、保護を提供するためにボード本体２よりも大きな径（幅と高さ）を有することのできるポリエチレン、ポリウレタン、またはポリスチレンなどの発泡体から成ることができる。もしくは、テールブロック４０は、衝撃を吸収し、ボード１を保護することのできる任意の材料で作製することができる。テールブロック４０は輸送および保管中はライディングボード１に連結され、使用中は取り外されるように設計することができる。テールブロック４０は好都合なことに安価な材料で製造して、ユーザにとって低コストで保護を提供することができる。
【００６０】
別の実施形態では、テールブロック４１は、より大きな一般的サイズの成形可能材料で構築し、エンドユーザが任意の所望の形状を形成できるように設計することができる。本実施形態では、「未成形」テールブロックに、テール本体２４に既に固定されたテール面プレート１１を設けることができる。テール本体２４は、充填、研磨、熱成形などによる成形と、標準的なボード乗り手またはサーフィン愛好家による仕上げとを含む、手作業の成形を可能にする独立気泡発泡体、軟質もしくは成形可能プラスチック、舗装木材、プラスチック被覆された発泡体、耐水粘土、またはその他の材料で作製することができる。１例では、テールブロック４１の本体２４は、テール面プレート１１に固定することのできる独立気泡ポリエチレン発泡体から作製することができる。好都合なことに、テールブロック４１によって、ユーザは様々な形状、サイズ、長、幅、および想像できるほぼすべての構造を新しいライディングボードを購入する費用を掛けずに試してみることができる。
【００６１】
本開示の特有の利点として、ほとんどすべての形状のテール本体２４または拡張部を本開示のテール面プレート１１に固定して、所望のほぼどんな構造のテールブロック８でも形成することができる。テールブロック８は、任意の所望の厚さを含め任意のサイズで作製することができる。そのうえ、テールブロック８は複数の様々な材料で作製して異なる屈曲を生成するだけでなく、ライディングボード１と異なる材料で作製することもできる。
【００６２】
図７は、ライディングボード１の別の実施形態を示す。本実施形態では、ライディングボード１の後端は、ボードインタフェースプレート６から内方に突出する部分高受けブロック１５を収容するように構成された切欠き１４を含む。部分切欠き１４はボード本体２の全体厚を貫通しない。部分切欠き１４は、本体２とボードインタフェースプレート６との接続部の強度を保ちつつ本ボード１の製造を簡易化する任意の構造をとることができる。同様に、受けブロック１５は部分切欠き１４に密着して嵌合するように構成することができるため、上述したようにインタフェースプレート６をボード本体２に固定することができる。インタフェースプレート６の外側の一部である製造タブは設けられない。
【００６３】
図７に示すさらに別の実施形態では、テール面プレート１１は連結部材１２のみを含む。各連結部材１２は、ピン、留め具、またはその他の脱着式連結手段２１を収容し、それと連結する窪み、穴、またはその他の手段２６を含む。テールブロック本体２４は、接着剤または内面２９をテール本体２４に固定する留め具（図示せず）によってテール面プレート１１の内面２９に固定することができる。テール面プレート１１の外周面の形状は、面プレートの内面がテールブロック本体８の内面３０に接するようにテール本体２４の外周面の形状と同一にすることができる。同様に、より大きなライディングボード１の場合、ボードインタフェースプレート６の本体２への配置と固定を簡易化するように、任意の数の切欠き１４をボード本体２の後端に配置することができる。
【００６４】
本開示は、上述のボードインタフェースプレート６に追加することによって互換性テールブロック８を使用することができ、かつ、構成変更可能なライディングボードの一部として使用することができるように構成することのできる、既存のサーフボードおよびライディングボードでの両用途に関する。たとえば、従来のガラス繊維および発泡体心材製のライディングボードは、後端またはテール部４の一部を除去することによって本開示での使用に適合させることができる。これは、ガラス繊維製のライディングボードの製造技術において既知なように、材料を切断、研磨、または磨砕することによって達成できる。いったん十分な材料または所望に応じて追加の材料が除去されれば、ボードインタフェースプレート６は修正した後端に当接させ、そこに固定することができる。上述したように、これは、接着剤、留め具、ストリンガーへの固定、または当該技術において周知のその他任意の方法によって達成することができる。ボードインタフェースプレート６は、突出部なしにボード本体２と嵌合するようなサイズに設定することができ、適切な嵌合のためにヤスリがけしたり形成したりする必要がない。いったん配置されたら、ボードインタフェースプレートは水またはその他の物質がボード本体に侵入するのを防止するために封止することができる。ボードインタフェースプレートとボード本体は共にガラス繊維またはエポキシ樹脂で被覆して、単独のライディングボードユニットを作製することができる。
【００６５】
上述した内容は、一又は複数の実施形態の例を含む。当然ながら、上記実施形態を説明するために考えられるすべての要素または方法の組み合わせを記載することはできないが、当業者であれば、各種実施形態の別の組み合わせおよび置換が可能であることを認識するであろう。したがって、記載の実施形態は、添付の請求項の精神と範囲に属するこのようなすべての変更、修正、変形を包含すると意図される。さらに、明細書または請求項のいずれかで「含む」という文言が使用される場合、「備える」という文言が請求項中の移行の文言として採用される際に解釈されるように、「備える」と同様に包括的に解釈されると意図される。
【図１Ａ】
2016515496.tif 000003
【図１Ｂ】
2016515496.tif 000004
【図１Ｃ】
2016515496.tif 000005
【図２Ａ】
2016515496.tif 000006
【図２Ｂ】
2016515496.tif 000007
【図３Ａ】
2016515496.tif 000008
【図３Ｂ】
2016515496.tif 000009
【図４】
2016515496.tif 000010
【図５Ａ−５Ｂ】
2016515496.tif 000011
【図６】
2016515496.tif 000012
【図７】
2016515496.tif 000013
【国際調査報告】
2016515496.tif 000014
2016515496.tif 000015